(57)【要約】【課題】  リヤハッチドア（後部ドア）を開いたときに、後部座席後方の荷室空間を利用して、乳幼児のオムツ等を取り換えるようにする。【解決手段】  オムツ換え用簡易ベビーベッド１，１００であって、リヤハッチドア２を有する車体後部座席３後方の荷室空間に設置される基本支持部材１０、８０と、この基本支持部材１０，８０に車幅方向に沿う回転軸線Ｌの回りに、起立した状態と、この起立した状態から後方に倒れて略水平状態とに展開するベビーベッド２０，６０，７０、１１０、および基本支持部材１０，８０と車体との間に設けて基本支持部材１０，８０を着脱自在に取り付けるように形成され、展開したベビーベッド２０，６０，７０，１１０上の乳幼児の体重を支持して位置決め固定する位置決め固定手段３４，４０、９０を設けた。【選択図】図１
2005095208.tif 000002
【特許請求の範囲】
【請求項１】
リヤハッチドアを有する車体後部座席後方の荷室空間に設置される基本支持部材、この基本支持部材に車幅方向に沿う回転軸の回りに、起立した状態と、この起立した状態から後方に倒れて略水平状態とに展開するベビーベッド、および上記基本支持部材と上記車体との間に設けて上記基本支持部材を着脱自在に取り付けるように形成され、上記展開した上記ベビーベッド上の乳幼児の体重を支持して位置決め固定する位置決め固定手段を有すること、を特徴とするオムツ換え用簡易ベビーベッド。
【請求項２】
上記位置決め固定手段は、上記基本支持部材に設けたばねと、上記基本支持手段に設けられ、上記ばねのばね反力に抗して上記回転軸方向に押し込むことにより上記回転軸方向の長さが収縮変形する可動棒と、上記車体荷室の側壁に設けられ、上記伸縮棒または上記基本支持部材の自由端を、上記ばねのばね反力を利用して係合せしめる係合部材とで形成されたこと、を特徴とする請求項１記載のオムツ換え用簡易ベビーベッド。
【請求項３】
上記位置決め固定手段は、上記基本支持部材に設けたベルトと、このベルトを係止させて上記ベビーベッドを緊締する荷ベルト用のフックとで形成したこと、を特徴とする請求項１記載のオムツ換え用簡易ベビーベッド。
【請求項４】
上記基本支持部材に、上記車体荷室を形成するフロア面からの高さや傾きを調整する高さ調整部材を設けたこと、を特徴とする請求項１乃至３のいずれか一項に記載のオムツ換え用簡易ベビーベッド。
【請求項５】
上記水平状態に展開された上記ベビーベッドは、上記車体荷室フロア面よりも高い位置に形成された上記リヤハッチドア用の戸当たり部に当てるようにしたこと、を特徴とする請求項１乃至４のいずれか一項に記載のオムツ換え用簡易ベビーベッド。
【請求項６】
上記ベビーベッドの背面に、上記リヤハッチドア用の戸当たり部に設けた上記リヤハッチドアのロック用金具に係脱可能に係合する係脱部材を設けたこと、を特徴とする請求項１乃至５のいずれか一項に記載のオムツ換え用簡易ベビーベッド。
【請求項７】
上記ベビーベッドを、分割形成した各分割部を、互いにヒンジを介して折り畳み可能としたり、あるいは互いにスライド可能な構造に形成し、ベビーベッドを使用しない状態の場合には、上記ベビーベッドを折り畳んだり、スライドして収納するようにしたこと、を特徴とする請求項１乃至６のいずれか一項に記載のオムツ換え用簡易ベビーベッド。
【請求項８】
請求項１乃至７のいずれか一項に記載のオムツ換え用簡易ベビーベッドにおいて、上記リヤハッチドアにカーテンを支持するアーチ状の支持棒を回動可能に設け、通常時上記支持棒は収納されるが、上記リヤハッチドアを開いて、上記ベビーベッドを展開した使用状態にしたときには、上記車体後方に回動させた上記支持棒に、上記カーテンを広げて張ることにより、おむつ換え作業を外部から遮蔽するようにしたこと、を特徴とするオムツ換え用簡易ベビーベッドのカーテン装置。
【発明の詳細な説明】
【技術分野】
【０００１】
本発明は、車体後面のリヤハッチドア（後部ドア）を開いたときに、後部座席後方の荷室空間を利用して、乳幼児のオムツ等を取り換えるようにした、オムツ換え用簡易ベビーベッドに関するものである。
【背景技術】
【０００２】
乳幼児を乗せたドライブにおいては、ドライブ途中で乳幼児のオムツを取り換える場合には、高速道路のパーキングエリア、スーパーやコンビニの駐車場等で、オムツを取り換えなければならない。このようにドライブ途中で乳幼児のオムツを取り換える技術として、例えば、特開平１１−３３４４３４号、特開２００２−１７２９６３号公報記載のものが公知である。これら技術のものは、いづれも前部座席の背もたれ背面に取り付けたベビー用の簡易ベッドを設け、車室内でオムツを取り換えるようにしたものである。
【特許文献１】特開平１１−３３４４３４号
【特許文献２】特開２００２−１７２９６３号
【発明の開示】
【発明が解決しようとする課題】
【０００３】
しかしながら、上記各公報のものにあっては、狭い車室内でオムツを取り換える作業を行うため、窮屈な姿勢で取り換え作業を行わなければならず、それだけ念入りな取り換え作業が行い難く、また取り換えに手間どるという問題があった。
このような問題点を解決するために、車体後面のリヤハッチドア（後部ドア）を開いたときに、後部座席後方の荷室空間を利用して、乳幼児のオムツ等を取り換えるようにし、オムツ取り換え作業を楽な姿勢で丁寧に行え、車外のオープンスペースで能率的な取り換え作業を行えるようにした、オムツ換え用簡易ベビーベッドを提供しようとするのが、本発明の目的（課題）である。
【課題を解決するための手段】
【０００４】
上記課題を解決するために、本発明においては次のような手段を講ずることとした。すなわち、請求項１記載の発明は、オムツ換え用簡易ベビーベッドであって、リヤハッチドアを有する車体後部座席後方の荷室空間に設置される基本支持部材、この基本支持部材に車幅方向に沿う回転軸の回りに、起立した状態と、この起立した状態から後方に倒れて略水平状態とに展開するベビーベッド、および上記基本支持部材と上記車体との間に設けて上記基本支持部材を着脱自在に取り付けるように形成され、上記展開した上記ベビーベッド上の乳幼児の体重を支持して位置決め固定する位置決め固定手段を有するようにしたものである。
【０００５】
請求項１記載の発明では、ベビーベッドは基本支持部材に回転軸を介して起立した状態と、略水平方向に展開した展開位置との間に亘って回転するように設けられると共に、ベビーベッドに一体化された基本支持部材を、位置決め固定手段によって車体荷室に着脱自在に取り付けているので、展開したベビーベッドを位置決め固定手段により車体荷室に固定することにより、ベビーベッド上に乳幼児を乗せて、オムツを取り換えることができるようになる。
【０００６】
また、請求項２記載の発明は、請求項１記載のオムツ換え用簡易ベビーベッドに係り、上記位置決め固定手段は、上記基本支持部材に設けたばねと、上記基本支持手段に設けられ、上記ばねのばね反力に抗して上記回転軸方向に押し込むことにより上記回転軸方向の長さが収縮変形する可動棒と、上記車体荷室の側壁に設けられ、上記伸縮棒または上記基本支持部材の自由端を、上記ばねのばね反力を利用して係合せしめる係合部材とで形成される構成としたものである。
【０００７】
この請求項２記載の発明では、位置決め固定手段は、ばねと、そのばねばね反力を利用して回転軸方向に伸縮する可動棒と、車体荷室の側壁に取り付けた係合部材とで形成しているため、可動棒を縮めながら、基本支持部材または伸縮棒の自由端を、係合部材に係合させるだけで、基本支持部材に回転自在に設けられたベビーベッドを簡単、且つ、容易にセットすることができるようになる。
【０００８】
また、請求項３記載の発明は、請求項１記載のオムツ換え用簡易ベビーベッドに係り、上記位置決め固定手段は、上記基本支持部材に設けたベルトと、このベルトを係止させて上記ベビーベッドを緊締する荷ベルト用のフックとで形成したものである。
【０００９】
この請求項３記載の発明では、基本支持部材に取り付けたベルトを、フロア等の車体荷室の適宜箇所に設けられた荷ベルト用のフックに係止するようにしているので、基本支持部材に設けられたベビーベッドは、ベルトの緊締によっても簡単に車体に位置決めして取り付けることができ、便利となる。
【００１０】
また、請求項４記載の発明は、請求項１乃至３のいずれか一項に記載のオムツ換え用簡易ベビーベッドに係り、上記基本支持部材に、上記車体荷室を形成するフロア面からの高さや傾きを調整する高さ調整部材を設けたものである。
【００１１】
この請求項４記載の発明では、ベビーベッドを回転支持する基本支持部材に設けた調整部材を、例えば、ねじによるねじ込み量によって調整できるようにすることで、基本支持部材の荷室フロア面に対する傾きや、高さを任意に微調整でき、ベビーベッドの回転軸回りの回転を鉛直面内に回転させることが可能となるものである。
【００１２】
また、請求項５記載の発明は、請求項１乃至４のいずれか一項に記載のオムツ換え用簡易ベビーベッドに係り、上記水平状態に展開された上記ベビーベッドは、上記車体荷室フロア面よりも高い位置に形成された上記リヤハッチドア用の戸当たり部に当てるようにしたことである。
【００１３】
この請求項５記載の発明では、リヤハッチドア用の戸当たり部よりも車体荷室フロア面が低く形成されている車両にあっても、基本支持部材に設けたベビーベッドを、戸当たり部に当てて支持させることができ、これにより、ベビーベッドを略水平状態に支持させることが可能となる。
【００１４】
また、請求項６記載の発明は、請求項１乃至５のいずれか一項に記載のオムツ換え用簡易ベビーベッドに係り、上記ベビーベッドの背面に、上記リヤハッチドア用の戸当たり部に設けた上記リヤハッチドアのロック用金具に係脱可能に係合する係脱部材を設けたことである。
【００１５】
この請求項６記載の発明では、ベビーベッドの背面（裏面）に設けた係脱部材を、リヤハッチ用の戸当たり部のロック用金具（例えば、ストライカ）に係脱するようにしたので、ベビーベッドを展開して使用する場合には、ロック用金具に係脱部材が係合しているため、ベビーベッドの安定性が確保され、安全にオムツ換えを行えるようになる。
【００１６】
また、請求項７記載の発明は、請求項１乃至６のいずれか一項に記載のオムツ換え用簡易ベビーベッドに係り、上記ベビーベッドを、分割形成した各分割部を、互いにヒンジを介して折り畳み可能としたり、あるいは互いにスライド可能な構造に形成し、ベビーベッドを使用しない状態の場合には、上記ベビーベッドを折り畳んだり、スライドして収納する構成としたものである。
【００１７】
この請求項７記載の発明では、ベビーベッドを分割して、ヒンジを介して折り畳める構造、あるいは、スライドする構造としたので、ベビーベッドを使用しない場合には、ベビーベッドを起立状態にするとき、車室内でベビーベッドを折り畳んだり、スライドして収納したりすることで、ベビーベッドの前後長さを短くでき、したがって、起立状態にあっても運転する際のハッチドアガラスを通しての後方視界を確保でき、安全走行を維持でき、収納場所をとらなくて済むので、荷室スペースの有効利用を図れるようになる。
【００１８】
また、請求項８記載の発明は、オムツ換え用簡易ベビーベッドのカーテン装置であって、請求項１乃至７のいずれか一項に記載のオムツ換え用簡易ベビーベッドにおいて、上記リヤハッチドアにカーテンを支持するアーチ状の支持棒を回動可能に設け、通常時上記支持棒は収納されるが、上記リヤハッチドアを開いて、上記ベビーベッドを展開した使用状態にしたときには、上記車体後方に回動させた上記支持棒に、上記カーテンを広げて張ることにより、オムツ換え作業を外部から遮蔽する構成としている。
【００１９】
この請求項８記載の発明では、リヤハッチドアを開き、ベビーベッドを展開してオムツ換えを行う場合に、リヤハッチドアに設けた支持棒を後方に回転して展開し、支持棒に沿ってカーテンを広げるようにしているカーテン装置であるため、乳幼児のオムツを取り換える作業を、周囲から遮断することができ、外部の視線を気にすることなく、集中して作業を行える。
【発明の効果】
【００２０】
請求項１記載の発明によれば、基本支持部材を位置決め固定手段により、車体荷室に固定し、ベビーベッドを回転軸を中心にして後方へ展開するという簡単な操作により、リヤハッチドアを開いた状態にし、ベビーベッドを略水平状態に展開し、この展開したベビーベッドの上に乳幼児を寝かせることで、車外のオープンスペースで楽な姿勢によって、乳幼児のオムツ換え作業を念入りに、衛生的に、且つスムーズに行え、便利となる。また、従来のように、車内の座席背もたれにベビーベッドを設けたものと異なり、荷室に着脱自在に取り付ける構成としているので、座席に着座する車室内スペースを狭めて室内居住性を損ねるような不具合もなく、快適なドライブを実現出来る効果を奏する。また、本発明によれば、車体荷室フロア面が、リヤハッチドア用の戸当たり部よりも低くなっている場合、あるいは、略同じ高さに形成されたフラットな連続した面をなしている場合を問わずに使用、すなわち、荷室のフロア構造に関係なく適用することができ、構造簡単にして車室内居住スペースを制約することなく、携行に便となるカー用品を得ることができる効果を奏する。
【００２１】
また、請求項２記載の発明によれば、可動棒を縮めながら、基本支持部材または伸縮棒の自由端を、係合部材に係合させるという簡単な構成により、基本支持部材に回転自在に設けられたベビーベッドを容易にセットすることができ、また、ベビーベッドを長期間使用しない場合には、可動棒を再び収縮させるだけで、おむつ換え用簡易ベビーベッドを取り外すことができ、荷室スペースを本来の荷物を搬送するためのスペースとして利用でき便利となる等の効果を奏する。
【００２２】
また、請求項３記載の発明によれば、基本支持部材に取り付けたベルトを、フロア等の車体荷室の適宜箇所に設けられた荷ベルト用のフックに係止して緊締するだけの簡単な操作により、ベビーベッドを車体に位置決めして取り付けることができて便利となる効果を奏する。
【００２３】
また、請求項４記載の発明によれば、ベビーベッドを回転支持する基本支持部材に設けた調整部材を、例えば、ねじによるねじ込み量によって調整できるようにすることで、基本支持部材の荷室フロア面に対する傾きや、高さを任意に微調整でき、ベビーベッドを安定した姿勢に展開して使用することができ、それだけ乳幼児のオムツ換え作業を安全に行える効果を奏する。
【００２４】
また、請求項５記載の発明によれば、リヤハッチドア用の戸当たり部よりも車体荷室フロア面が低く形成されている車両にあっても、基本支持部材に設けたベビーベッドを、戸当たり部に当てて支持させることができ、これにより、ベビーベッドを、基本支持部材と戸当たり部との間で略水平状態に支持させることができ、ベビーベッドを安定した姿勢に支持できる効果を奏する。
【００２５】
また、請求項６記載の発明によれば、ベビーベッドの背面（裏面）に設けた係脱部材を、リヤハッチ用の戸当たり部のロック用金具（例えば、ストライカ）に係脱するようにしたので、ベビーベッドを展開して使用する場合には、ロック用金具に係脱部材が係合しているため、ベビーベッドの安定性が確保され、安全にオムツ換えを行える効果を奏する。
【００２６】
また、請求項７記載の発明によれば、ベビーベッドを分割した構造にして、折り畳んだり、スライドして収納できるようにしているので、おむつ換え用簡易ベビーベッドを荷室にセットした状態で車両を運転しても、ベビーベッドの前後長さを短くでき、ベビーベッドを起立状態にした状態で運転しても、ハッチドアガラスを通しての後方視界を妨げることがなく、安全走行を維持でき、また、小さくコンパクトに収納できるので、収納場所をとらなくて済み、荷室スペースの有効利用を図れるように、さらには、おむつ換え用簡易ベビーベッドを取り外して持ち運びするにも、便利となる効果を奏する。
【００２７】
また、請求項８記載の発明によれば、リヤハッチドアを開き、ベビーベッドを展開してオムツ換えを行う場合に、リヤハッチドアに設けた支持棒を後方に回転して展開し、支持棒に沿ってカーテンを広げるオムツ換え用簡易ベビーベッドのカーテン装置であるので、乳幼児のオムツを取り換える作業を、周囲から遮断することができ、高速道路のサービスエリア、スーパーやコンビニ等の人の多い公共の場所でのオムツ換えを視線を気にすることなく集中して行える効果を奏する。
【発明を実施するための最良の形態】
【００２８】
本発明の第１実施の形態を、図１〜図６に基づいて詳述する。    
【００２９】
図１は、第１実施の形態に係るオムツ換え用簡易ベビーベッド１の使用状態を説明する外観説明図、図２は、オムツ換え用簡易ベビーベッド１の平面図、図３（ａ）は図１の矢視Ａ−Ａ線、および図３（ｂ）は図１の矢視Ｂ−Ｂ線における断面図である。図１に示されるように、ワンボックス型乗用自動車のように、リヤハッチドア（後部ドア）２をガスストッパＧにより上方に開いた状態にして、車体後部座席３後方の車体荷室の空きスペース設置して利用され、乳幼児のオムツを取り換えるのに使用されるものである。以下、そのオムツ換え用簡易ベビーベッド１の構成について説明していく。
【００３０】
オムツ換え用簡易ベビーベッド１は、図２，図３に示すように、ベース部材としての基本支持部材１０と、起立した状態と略水平に展開する水平状態とに回転するベビーベッド２０と、基本支持部材１０を車体に対して着脱自在に取り付ける位置決め固定手段４０とで構成される。
【００３１】
基本支持部材１０は、所定の荷重支持剛性を有する中空断面の筒状部１１と、筒状部１１の左右対称位置に設けたブラケット部１２とからなる。ブラケット部１２は、後述するベビーベッド２０のボス部を回転支持する軸受けを形成する。
【００３２】
ベビーベッド２０は、例えば、合成樹脂製の軽量材で形成された平坦な長方形状をなし、その上面に乳幼児を載せても変形しない剛性を有するように形成されていて、その基部の両側には、左右方向に突出するボス部２３を備えている。ボス部２３は、基本支持部材１０のブラケット部１２に設けられ、図３（ｂ）に示すように回転軸線Ｌを回転中心として回転する回転軸として形成される。また、ボス部２３とブラケット部１２との間には、図示されないばね手段が設けられ、このばね手段によって、中間の所定傾斜角度を思案点として、所定傾斜角度以上にベビーベッド２０を回転させる方向に操作力を作用させると、図４の二点鎖線や、図５に示すように、回転軸線Ｌ回りに起立した位置（以下、「起立位置」という）へ回転付勢し適宜の図示しないストッパにより起立位置を保持し、上記思案点を境にして所定傾斜角度以下に回転させようとする方向に操作力を作用させると、図４の実線や図６に示すように、略水平方向に倒れて展開する位置（以下、「水平位置」という）に回転付勢するようになっている。また、ベビーベッド２０には、ベルト通し孔２１が設けられ、これに通したベルト２２を乳幼児に巻き付けて緊締することで、乳幼児が落下しないよう保持する。
【００３３】
次に、位置決め固定手段４０を説明する。この位置決め固定手段４０は、図３（ａ）に示すように、基本支持部材１０内を左右に移動する一対の可動棒４１と、ばね４２と、可動棒４１の左右両端を受容する係合部材４３とからなる。すなわち、基本支持部材１０の内部に、コイル状のばね４２が設けられ、ばね４２を挟んで可動棒４１がピストン運動できる。左右の可動棒４１は、ばね４２のばね反力により常時基本支持部材１０の外方に移動する方向に付勢され、ばね４２を圧縮するように左右の可動棒４１を押し込むことで、基本支持部材１０の長さと、この基本支持部材１０から突出する左右の可動棒４２の長さとで決定される最大長さが、いわゆる伸縮棒（あるいはエキスパンダ）のように短くできるようになっている。こうして、基本支持部材１０と位置決め固定手段４０とで形成される車幅方向の最大長さは、設置される前の状態では、車体後部の荷室を形成する左右のリヤクォータパネル間の寸法よりも長い寸法を有する。
なお、上記では、２つの可動棒４１を左右に移動するように設けたが、いずれか一方の可動棒を固定し他方の可動棒のみを移動する態様にしてもよい。
【００３４】
また、係合部材４３は、例えば、好ましくは軽量化のために合成樹脂材製が好ましく、可動棒４１の自由端を受容する凹部４３ａが形成され、裏面には面ファスナーや吸盤機能が設けられ、相手側の取り付け部材である荷室を形成する車体左右のリヤクォータパネルインナ３０や、トリム等の車体内装材表面の所定箇所に固定される。
【００３５】
また、リヤハッチドア２の内側には、図４，図６に示すように、カーテン装置５０が設けられる。カーテン装置５０は、アーチ状の支持棒５１と支持棒５１に沿ってスライドして広げられるカーテン５２とで形成される。支持棒５１の両端は、リヤハッチドア２の内側中間部位に軸受け部５３を介して回動可能に設けられ、軸受け部５３には図示されないばねにより、通常時、支持棒５１は折り畳まれる方向に付勢され、図４の実線で示すようにリヤハッチドア２内側に沿うように収納されているが、リヤハッチドア２を開いて、ベビーベッド２０を展開して使用する状態にある場合には、図４の二点鎖線で示すように車体後方に回動するように付勢する。後方に展開した支持棒５１に沿ってカーテン５２を広げると、オムツ換え作業を周囲から遮蔽するようになっている。
【００３６】
次に、第１実施の形態の使用方法と作用を説明する。ベビーベッド２０がリヤハッチドア用のドア戸当たり部３１に支持されて水平位置になるように、フロアパネル３２から同じ高さに２つの係合部材４３を左右のリヤクォータパネルインナ３０に固定する。次いで、可動棒４１をばね４２のばね力に抗して押し込んで縮め、係合部材４３の凹部４３ａに嵌め込む。これにより、図５に示すように、基本支持部材１０は、リヤクォータパネルインナ３０に位置決めして装着される。ベビーベッド２０を回転軸線Ｌを中心にして起立位置から後方に倒してドア戸当たり部３１に係止させると、ベビーベッド２０は、図４の実線や、図６に示されるように、水平位置にセットされる。カーテン装置５０を使用する場合には、図４に示すように、支持棒５１を二点鎖線に示す位置に回転させ、カーテン５２を広げ、周囲から遮断する。こうして、図１に示すように、乳幼児をベビーベッド２０に載せ、ベルト２２により乳幼児を転げ落ちないように緊締し、オムツの取り換え作業を行う。
【００３７】
第１実施の形態に係るオムツ換え用簡易ベビーベッド１によれば、簡易にベビーベッド２０を展開して水平位置にでき、カーテン装置５０の併用により周囲の人目を気にすることなくオムツ換えを行うことができる。また、後部座席後方の荷室スペースを有効活用でき、快適なドライブを得ることができる。
【００３８】
なお、上記第１実施の形態では、ベビーベッド２０を一枚の板状の部材で形成したが、図７に示す変形例とすることも可能である。すなわち、ベビーベッド６０を２分割に形成し、それら分割部６０ａ、６０ｂを、互いにヒンジ６０ｃを介して矢印方向に折り畳み可能とする構造にすることもできる。この場合、水平位置で乳幼児の体重を支持できるように、各分割部６０ａ，６０ｂにねじ式のサポート部材６０ｄを設けることで、安定した使用状態を維持できるようになる。なお、ヒンジ６０ｃを表側でなく、裏側に取り付けるようにすることも可能である。
また、図８に示すように、ベビーベッド７０をボックス断面を有する分割部７０ａと、これに収納自在となる分割部７０ｂとで形成した変形例とすることもできる。この変形例によれば、分割部７０ａから引き出した分割部７０ｂをドア戸当たり部３１に載せて支持させる。また、図７に示したと同様のサポート部材６０ｄを分割部７０ａに設けることで体重支持を行うようにしてもよいものである。
上記した２つの変形例とすることで、起立位置の状態にあるときでも、ベビーベッド６０、７０は半分程度に折り畳まれ、収納されているため、運転者に対する後方視界を妨げることがないので、安全運転に支障を来すことはない。
【００３９】
次に、図９，図１０に示す第２実施の形態を説明する。第２実施の形態のオムツ換え用簡易ベビーベッド１００が、上記第１実施の形態と大きく相違する点は、第１実施の形態の位置決め固定手段がいわゆる伸縮棒あるいはエキスパンダ機能を利用して車体に設置するものであったが、この第２実施の形態では、ベルトと、フックを利用して設置する位置決め手段にしたことである。すなわち、第２実施の形態において、基本支持部材８０は板状の形態を有し、その四隅の下面にはフロア面からの高さや傾きを調整し、且つ、体重支持のできるねじ式のサポート部材８０ａが取り付けられる。また、基本支持部材８０の左右両側に、フック状の係止具９０ａを設けたベルト９０が取り付けられ、その係止具９０ａは、例えばフロアパネル３２（図４参照）の適宜箇所に埋め込まれるようにして設けられた荷ベルト用のフック装置３４を起こし、これに係合するようになっている。フック装置３４は、フロアパネル３２内にヒンジ３４ａを介して回転するように埋没していて、使用する場合には、上方に回転して起こす構造となっているが、もちろん、このような埋没構造でなく終始、フロアパネル３２上面に露呈する形態のものであってもよい。
【００４０】
また、ベビーベッド１１０は、図８で示した同様の箱状の分割部１１０ａと、これに矢印方向に収納自在に設けられる分割部１１０ｂとの分割構造である。分割部１１０ａの裏面には、係脱部材１１０ｃが設けられ、分割部１１０ａを水平位置に倒したときに、ドア戸当たり部３１に取り付けたストライカ３３等のリヤハッチドア２のロック用金具に係脱して係合するようになっている。
【００４１】
第２実施の形態によれば、サポート部材８０ａで高さを調整した後、フロアパネル３２に着座させ、左右のベルト９１の長さを調整し、先端の係止具９０ａを荷ベルト用のフック装置３４に係合させ、最終的にベルト９０を遊びのないように締め付ける。これにより、オムツ換え用簡易ベビーベッド１００をフロアパネル３２に緊締した状態でセットすることができる。この状態において起立しているベビーベッド１１０を後方に倒して係脱部材１１０ｃをストライカ３３に係合させ、分割部１１０ｂを引き出して広く展開することで、水平位置にすることができる。このため、第２実施の形態によっても、第１実施の形態とほぼ同様に、乳幼児をオムツ換え用簡易ベビーベッド１００を使用してオムツ換えを簡便に行え、この場合、係脱部材１１０ｃをストライカ３３に係合させているため、ベビーベッド１１０の安定性が向上し、また、使用しない場合には収納できる構造であるため、車両の後方視界を妨げることもない。
なお、第２実施の形態では、第１実施の形態と同様に、カーテン装置５０を使用することができるものであり、また、ベビーベッド１１０をスライドできる分割構造としたが、もちろんこれに限定されることはなく、例えば、第１実施の形態のように一枚板で形成した態様にしてもよく、さらに、図７に示す折り曲げ構造にした態様にすることも可能である。
【００４２】
以上、この発明の実施の形態を図面により詳述してきたが、具体的な構成はここれら実施の形態および変形例に限られるものでなく、この発明の要旨を逸脱しない範囲の設計の変更等があってもこの発明に含まれる。
例えば、上記第１実施の各変形例、第２実施の形態におけるオムツ換え用簡易ベビーベッド１，１００のベビーベッドは、車体荷室のフロアパネル３２よりも高い位置にある戸当たり部３１に当てるように載せ、乳幼児の体重を支えるように利用したが、フロアパネル３２と戸当たり部３１とが略同じ高さ、つまりフラットなフロア面を形成した車両にも適宜使用できるようにできるものである。
また、ベビーベッドを折り畳んだり、スライドして収納して起立位置して不使用状態とした場合には、起立位置からさらに横方向に回転させるようにして、後方視界を確保するようにすることもできる。
【図面の簡単な説明】
【００４３】
【図１】第１実施の形態に係るオムツ換え用簡易ベビーベッド使用状態を説明する外観説明図である。
【図２】オムツ換え用簡易ベビーベッドの平面図である。
【図３】図３（ａ）は、図２のＡ−Ａ線における矢視横断面図、図３（ｂ）は図２のＢ−Ｂ線における矢視縦断面図である。
【図４】オムツ換え用簡易ベビーベッドのベビーベッドを起立位置と水平位置とに作動する状態、およびカーテン装置の取り付けの概要を説明する側面説明図である。
【図５】第１実施の形態の取り付け状態を説明する外観斜視図である。
【図６】第１実施の形態の使用状態を説明する外観斜視図である。
【図７】第１実施の形態の変形例に係り、（ａ）は平面図、（ｂ）は側面図である。
【図８】第１実施の形態に別の変形例に係り、（ａ）は側面図、（ｂ）は平面図、（ｃ）は（ｂ）のＣ−Ｃ線における矢視横断面図である。
【図９】第２実施の形態外観斜視図である。
【図１０】荷ベルト用のフック装置の一例を示す外観斜視図である。
【符号の説明】
【００４４】
１  オムツ換え用簡易ベビーベッド
２  リヤハッチドア
３  後部座席
１０  基本支持部材
１１  筒状部
１２  ブラケット
２０  ベビーベッド
２１  ベルト通し孔
２２  ベルト
２３  ボス部
３０  リヤクォータパネルインナ
３１  戸当たり部
３２  フロアパネル
３３  ストライカ
３４  荷ベルト用のフック装置
４０  位置決め固定手段
４１  可動棒
４２  ばね
４３  係合部材
５０  カーテン装置
５１  支持棒
５２  カーテン
５３  軸受け部
６０  ベビーベッド
６０ｄ  サポート部材
７０  ベビーベッド
８０  基本支持部材
８０ａ  サポート部材
９０  ベルト
１００  オムツ換え用簡易ベビーベッド
１１０  ベビーベッド
Ｌ  回転軸線  
【図１】
2005095208.tif 000003
【図２】
2005095208.tif 000004
【図３】
2005095208.tif 000005
【図４】
2005095208.tif 000006
【図５】
2005095208.tif 000007
【図６】
2005095208.tif 000008
【図７】
2005095208.tif 000009
【図８】
2005095208.tif 000010
【図９】
2005095208.tif 000011
【図１０】
2005095208.tif 000012